(57)【要約】【課題】キャップをねじ嵌合する突出したキャップ嵌合部を有した容器本体の内部に、筆記具用インキを収容し、筆記具用インキを滞留するインキ滞留部を有したペン先保護用アダプターを挿着してなるインキ収容容器において、容器本体の口元部やキャップが内部に収容された筆記具用インキで汚れ難いようにする。【解決手段】ペン先保護用アダプター６に、容器本体２の内壁面に当接可能な突片１６を設ける。該突片１６を容器本体２の内壁面に当接することで、ペン先保護用アダプター６の筆記具用インキ５による浮き上がりを防止するとともに、ペン先保護用アダプター６の挿入口７が容器本体２の口元部１９より離間して位置するようにする。【選択図】図１
2011167913.tif 000002
【特許請求の範囲】
【請求項１】
キャップをねじ嵌合する突出したキャップ嵌合部を有した容器本体の内部に、筆記具用インキを収容し、筆記具用インキを滞留するインキ滞留部を有したペン先保護用アダプターを挿着してなるインキ収容容器において、前記ペン先保護用アダプターに、容器本体の内壁面に当接可能な突出部を設け、該突出部を容器本体の内壁面に当接することで、ペン先保護用アダプターの筆記具用インキによる浮き上がりを防止するとともに、ペン先保護用アダプターの挿入口が容器本体の口元部より離間して位置するようにしたことを特徴とするインキ収容容器。
【請求項２】
前記突出部を、ペン先保護用アダプターの外周面に、軸心方向に延び、挿入口側を自由端として挿入口に近づくにしたがって拡径した、ペン先保護用アダプターに対して外側に突出した突片で構成してなる、請求項１に記載のインキ収容容器。
【請求項３】
前記突起部を、ペン先保護用アダプターの外周面に、軸心方向に延び、挿入口側を自由端として挿入口に近づくにしたがって拡径し、途中曲折部を介して、挿入口に近づくにしたがって縮径する、ペン先保護用アダプターに対して外側に突出した突片で構成し、前記縮径の突片部分を容器本体の内壁面に当接してなる、請求項１に記載のインキ収容容器。
【請求項４】
前記突起部を、ペン先保護用アダプターの外周面に、軸径方向の外方に突出したペン先保護用アダプターの軸心方向の厚みを薄肉状として、軸心方向に屈曲可能に形成した突片で構成してなる、請求項１に記載のインキ収容容器。
【発明の詳細な説明】
【技術分野】
【０００１】
本発明は、筆記具用インキを収容したインキ収容容器に関する。
【背景技術】
【０００２】
万年筆用の筆記具用インキを収容したインキ収容容器については、従来より知られている。こうしたインキ収容容器は、インキ瓶と呼ばれているように容器本体が硬質のガラスで形成されているのが一般的である。万年筆に筆記具用インキを補給するには、万年筆のペン先部を容器本体内に挿入して筆記具用インキを吸入して補給するが、その際、ペン先を容器本体の内壁面に当てたりしてペン先を傷めてしまうという問題があった。
【０００３】
前記問題を解消するものとして、容器本体内に、内部にインキを滞留するインキ滞留部を有した軟質の合成樹脂で形成した器状のペン先保護用アダプターを挿着したインキ収容容器が提案され販売もされている。
【０００４】
前記ペン先保護用アダプターについては、特開２００７−７６１４４号公報や意匠登録第１１０８８５０号公報等により知られているが、図を用いて簡単に説明すると、図１に示すように、ペン先保護用アダプター６は、開口した容器本体２の口元部１９と反対側の底部１０を容器本体２の底部１１に形成した凹部１２に係止して、ペン先保護用アダプター６が容器本体２の内部に略垂直状態の姿勢で維持されるようにしてあり、容器本体２内の筆記具用インキ５をペン先保護用アダプター６のインキ滞留部２０に滞留するようにしてある。万年筆にインキを補給するには、ペン先保護用アダプター６のインキ滞留部２０にペン先部を挿入し、インキ滞留部２０内の筆記具用インキ５を吸入する。
【０００５】
ところで、ペン先保護用アダプター６は、前記したように軟質の合成樹脂で形成してあり比重がインキ収容容器内に収容した筆記具用インキ５の比重と大差がなく、筆記具用インキ５に対して浮き上がり易く、ペン先保護用アダプター６の挿入口７が容器本体２の口元部１９に位置してしまう。
【０００６】
ところで、万年筆に筆記具用インキを補給し終わって万年筆のペン先部を容器本体から引き抜く際に、ペン先を容器本体の口元部に擦りつけて、ペン先周りに付着した筆記具用インキを除去することが行われている。また、容器本体内の筆記具用インキの残量が少なくなってくると、キャップ嵌合部にキャップをねじ嵌合してインキ収容容器を傾けたりひっくり返す等して、ペン先保護用アダプターのインキ滞留部に筆記具用インキを流動させて補給することが行われる。そのために、容器本体のキャップ嵌合部の内壁面と該内壁面に対向したペン先保護用アダプターの外壁面との間に形成された微小隙間に毛細管現象が作用するなどして、口元部に筆記具用インキが滞留して口元部が筆記具用インキで汚れ、キャップ嵌合部のねじ部やキャップのねじ部等に筆記具用インキが流れ、キャップやキャップ嵌合部が筆記具用インキで汚れ、しいては手を筆記具用インキで汚してしまうという問題があった。
【先行技術文献】
【特許文献】
【０００７】
【特許文献１】特開２００７−７６１４４号公報
【特許文献２】意匠登録第１１０８８５０号公報
【発明の概要】
【発明が解決しようとする課題】
【０００８】
本発明が解決しようとする課題は、キャップをねじ嵌合する突出したキャップ嵌合部を有した容器本体の内部に、筆記具用インキを収容し、筆記具用インキを滞留するインキ滞留部を有したペン先保護用アダプターを挿着してなるインキ収容容器において、容器本体の口元部やキャップが内部に収容された筆記具用インキで汚れ難いようにする。
【課題を解決するための手段】
【０００９】
本発明は、
「１．キャップをねじ嵌合する突出したキャップ嵌合部を有した容器本体の内部に、筆記具用インキを収容し、筆記具用インキを滞留するインキ滞留部を有したペン先保護用アダプターを挿着してなるインキ収容容器において、前記ペン先保護用アダプターに、容器本体の内壁面に当接可能な突出部を設け、該突出部を容器本体の内壁面に当接することで、ペン先保護用アダプターの筆記具用インキによる浮き上がりを防止するとともに、ペン先保護用アダプターの挿入口が容器本体の口元部より離間して位置するようにしたことを特徴とするインキ収容容器。
２．前記突出部を、ペン先保護用アダプターの外周面に、軸心方向に延び、挿入口側を自由端として挿入口に近づくにしたがって拡径した、ペン先保護用アダプターに対して外側に突出した突片で構成してなる、前記１項に記載のインキ収容容器。
３．前記突起部を、ペン先保護用アダプターの外周面に、軸心方向に延び、挿入口側を自由端として挿入口に近づくにしたがって拡径し、途中曲折部を介して、挿入口に近づくにしたがって縮径する、ペン先保護用アダプターに対して外側に突出した突片で構成し、前記縮径の突片部分を容器本体の内壁面に当接してなる、前記１項に記載のインキ収容容器。
４．前記突起部を、ペン先保護用アダプターの外周面に、軸径方向の外方に突出したペン先保護用アダプターの軸心方向の厚みを薄肉状として、軸心方向に屈曲可能に形成した突片で構成してなる、前記１項に記載のインキ収容容器。」
である。
【００１０】
ペン先保護用アダプターに設ける突出部の形状については、特に限定されないが、容器本体にペン先保護用アダプターを挿入する際に、突出部がペン先保護用アダプターの進行を妨げないような形状にすることが重要である。また、インキ収容容器を廃棄する際に、ガラスと合成樹脂等に分別できるように、好ましくは、容器本体からペン先保護用アダプターを取り出す際に、突出部が取り出しの妨げにならないような形状にすることが望ましい。
【発明の効果】
【００１１】
本発明は前記したような構造なので、ペン先保護用アダプターが筆記具用インキに対して浮き上がることがなく、ペン先保護用アダプターの挿入口が容器本体の口元より離間してキャップ嵌合部の内部に位置するので、容器本体のキャップ嵌合部の内壁面と該内壁面に対向したペン先保護用アダプターの外壁面との間に形成された微小隙間に毛細管現象が作用しても、口元部に筆記具用インキが滞留しないので、容器本体のキャップ嵌合部の口元やキャップが筆記具用インキで汚れ難いという効果がある。
【００１２】
請求項３および請求項４に係る発明とすることで、容器本体からペン先保護用アダプターを取り出そうとした際に、請求項３に係る発明では突出部が内側に撓み、請求項４に係る発明では突出部が進行方向と反対側に曲折するので、ペン先保護用アダプターを容器本体から取り出すことができ、ガラス製のインキ収容容器を廃棄する際に、ガラス製の容器本体と、合成樹脂製のペン先保護用アダプターとを分別できるという効果がある。
【図面の簡単な説明】
【００１３】
【図１】本発明のインキ収容容器の第１の実施例を示す、インキ収容容器の断面図である。
【図２】図１におけるペン先保護用アダプターの図で、（ａ）は正面図であり、（ｂ）は上から見た平面図である。
【図３】図２（ａ）における、Ａ−Ａ線部分の拡大断面図である。
【図４】本発明のインキ収容容器の第２の実施例を示す、インキ収容容器の断面図である。
【図５】図４におけるペン先保護用アダプターの図で、（ａ）は正面図であり、（ｂ）は上から見た平面図である。
【図６】図５（ａ）における、Ｂ−Ｂ線部分の拡大断面図である。
【図７】本発明のインキ収容容器の第３の実施例を示す、インキ収容容器の断面図である。
【図８】図７におけるペン先保護用アダプターの正面図である。
【図９】図８における、Ｃ−Ｃ線部分の拡大端面図である。
【図１０】図８における、Ｄ−Ｄ線部分の拡大断面図である。
【発明を実施するための最良の形態】
【００１４】
ペン先保護用アダプターに、筆記具用インキに対して浮き上がらないように、容器本体のキャップ嵌合部に連設する肩部または該肩部とキャップ嵌合部とが接合する接合部の内壁面に当接可能な突出部を設ける。
【実施例】
【００１５】
本発明のインキ収容容器の実施例を図面を用いて説明する。各実施例において同じ部材同じ箇所を示す場合は、同じ符号を付してある。
図１〜図３は本発明の具体的な実施態様を示す請求項２に係る発明の実施例を示し、本実施例のインキ収容容器１は、従来のインキ瓶と呼ばれているガラス製のインキ収容容器と同様にガラス製の容器本体２と合成樹脂製のキャップ３とからなり、容器本体２にはキャップ３をねじ嵌合する突出したキャップ嵌合部４を有した形状とし、容器本体２の内部に筆記具用インキ５を収容するものである。容器本体２内には、合成樹脂製で器状のペン先保護用アダプター６を着脱可能に挿着してある。
【００１６】
ペン先保護用アダプター６は、前記した従来のペン先保護用アダプターと同様に、図示していないが万年筆等のペン先を挿入するための挿入口７を有した、ペン先を有した軸筒の先端部が挿入可能な大径の本体部８と、各種の万年筆のペン先部が挿入可能なペン先挿入部９で構成されている。ペン先挿入部９の底部１０は容器本体２の底部１１に形成した凹部１２に係止して、ペン先保護用アダプター６が容器本体２の内部に略垂直状態の姿勢で維持されるようにしてある。本体部８の外周面１３の対向した２箇所には、挿入口７に開口した切欠部１４を設けてあり、該切欠部１４には軸心方向に延び、挿入口７側を自由端１５としペン先挿入部９側を本体部８に連設してなる、挿入口７に近づくにしたがって拡径する本体部８の外方に突出した突片１６を設けてある。
【００１７】
前記突片１６の拡開した先端部１７を、容器本体２のキャップ嵌合部４に連設した肩部１８の内壁面に当接して、ペン先保護用アダプター６の筆記具用インキ５による浮き上がりを防止するとともに、ペン先保護用アダプター６の挿入口７が容器本体の口元部１９より離間して位置するようにしてある。
【００１８】
従来のペン先保護用アダプターと同様に、ペン先挿入部９は、前記切欠部１４により容器本体２内の筆記具用インキ５が流動して滞留するインキ滞留部２０としてある。尚、符号２１は容器本体２内の筆記具用インキ５がキャップ３から流出しないための蓋栓であり、符号２２は万年筆（図示せず）に筆記具用インキ５を補給する際に、万年筆のペン先部をペン先挿入部９に挿入してペン先を装着した軸筒を倒立した状態で保持できるように、前記軸筒を支持するためのペン先保護用アダプター６の本体部８に形成した凸部である。
【００１９】
図４〜図６は本発明の具体的な実施態様を示す請求項３に係る発明の実施例を示し、本実施例のインキ収容容器１Ａは、前記実施例と全く同様に容器本体２とキャップ３を形成してある。合成樹脂製で器状のペン先保護用アダプター６Ａも、前記実施例と同様に本体部８と先挿入部９で構成されており、ペン先挿入部９の底部１０は容器本体２の底部１１に形成した凹部１２に係止して、ペン先保護用アダプター６Ａが容器本体２の内部に略垂直状態の姿勢で維持されるようにしてある。
【００２０】
前記実施例との相違点は、ペン先保護用アダプター６Ａの本体部８の外周面１３の対向した２箇所に、挿入口７に開口した切欠部１４を設けてあり、該切欠部１４には、挿入口に向って延び、挿入口７側を自由端１５としペン先挿入部９側を本体部８に連設してなる、挿入口７に近づくにしたがって拡径する突片部２３ａと、途中曲折部２４を介して、挿入口７に近づくにしたがって縮径する突片部２３ｂとで構成された、ペン先保護用アダプター６Ａに対して外側に突出した突片２３を設けた点である。
【００２１】
前記突片２３の縮径した突片部２３ｂを、容器本体２のキャップ嵌合部４から該キャップ嵌合部４に連設した肩部１８への曲折部２５の内壁面に当接して、ペン先保護用アダプター６Ａの筆記具用インキ５による浮き上がりを防止するとともに、ペン先保護用アダプター６Ａの挿入口７が容器本体２の口元部１９より離間して位置するようにしてある。
【００２２】
本実施例におけるペン先保護用アダプター６Ａを容器本体２から取り出す際には、ペン先保護用アダプター６Ａの突片２３の縮径した突片部２３ｂや曲折部２４や拡開した突片部２３ａが、前記容器本体２の曲折部２５の内壁面により内側方向に変位するので、難なく取り出すことができるし、当然に、ペン先保護用アダプター６Ａを容器本体２内に挿入できる。
【００２３】
前記実施例と同様に、ペン先挿入部９は、前記切欠部１４により容器本体２内の筆記具用インキ５が流動して滞留するインキ滞留部２０としてある。
【００２４】
図７〜図１０は本発明の具体的な実施態様を示す請求項４に係る発明の実施例を示し、本実施例のインキ収容容器１Ｂは、前記実施例と全く同様に容器本体２とキャップ３を形成してある。合成樹脂製で器状のペン先保護用アダプター６Ｂも、前記実施例と同様に本体部８とペン先挿入部９で構成されており、ペン先挿入部９の底部１０は容器本体２の底部１１に形成した凹部１２に係止して、ペン先保護用アダプター６Ｂが容器本体２の内部に略垂直状態の姿勢で維持されるようにしてある。
【００２５】
前記実施例との相違点は、ペン先保護用アダプター６Ｂの本体部８の外周面１３の対向した２箇所に、軸心方向に離間して並んだ２つの貫通孔２６ａ、２６ｂを設けてある。該貫通孔２６ａと貫通孔２６ｂとの間の外壁面は凹溝２７としてあり、該凹溝２７の外壁面２７ａに、先端部２８ａの幅を広くしつけね部２８ｂの幅を狭くした突片２８を、ペン先保護用アダプター６Ｂの軸心方向へ屈曲可能に連接して設けた点である。
【００２６】
前記突片２８を、容器本体２のキャップ嵌合部４に連設した肩部１８の内壁面に当接して、ペン先保護用アダプター６の筆記具用インキ５による浮き上がりを防止するとともに、ペン先保護用アダプター６の挿入口７が容器本体の口元部１９より離間して位置するようにしてある。
【００２７】
本実施例におけるペン先保護用アダプター６を容器本体２から取り出す際には、ペン先保護用アダプター６の突片２８が軸心方向における進行方向と反対側に折れ曲がるので、難なく取り出すことができるし、当然に、ペン先保護用アダプター６を容器本体２内に挿入できる。
【００２８】
ペン先挿入部９は、少なくとも前記貫通孔２６ｂより容器本体２内の筆記具用インキ５が流動して滞留するインキ滞留部２０としてある。
【産業上の利用可能性】
【００２９】
本発明は、液体を収容した瓶等の容器で、容器本体や容器本体のキャップを嵌合するキャップ嵌合部の内部に、容器本体や容器本体とは別部材の内部材を挿着した構造のものにおいて、容器の口元部やキャップを液体で汚し難いようにしたい場合に適用できる。
【符号の説明】
【００３０】
１、１Ａ、１Ｂ  インキ収容容器
２  容器本体
３  キャップ
４  キャップ嵌合部
５  筆記具用インキ
６、６Ａ、６Ｂ  ペン先保護用アダプター
７  挿入口
１３  外周面
１６  突片
１８  肩部
１９  口元部
２０  インキ滞留部
２３  突片
２８  突片
【図１】
2011167913.tif 000003
【図２】
2011167913.tif 000004
【図３】
2011167913.tif 000005
【図４】
2011167913.tif 000006
【図５】
2011167913.tif 000007
【図６】
2011167913.tif 000008
【図７】
2011167913.tif 000009
【図８】
2011167913.tif 000010
【図９】
2011167913.tif 000011
【図１０】
2011167913.tif 000012